(57)【特許請求の範囲】
【請求項１】
メモリとアンテナを含む無線通信素子を内蔵する記録媒体に画像を記録する記録手段と、前記無線通信素子と通信を行なう為の通信アンテナと、前記通信アンテナを介して前記メモリに情報を書き込む書き込み手段と、
前記メモリへの書き込み動作が存在するか否かを判別する第１の判別手段と、前記記録媒体内に前記無線通信素子が内蔵されているか否かを判別する第２の判別手段と、
前記第１の判別手段で前記メモリへの書き込み動作が存在しないと判別され、且つ前記第２の判別手段により前記無線通信素子が内蔵されている、と判別された場合に警告を報知する報知手段とを備えることを特徴とする記録装置。
【請求項２】
前記報知は前記記録手段による記録動作を中断して行なうことを特徴とする請求項１に記載の記録装置。
【請求項３】
前記報知は記録装置に接続される情報処理装置に出されることを特徴とする請求項１、又は２に記載の記録装置。
【発明の詳細な説明】
【０００１】
【発明の属する技術分野】
本発明は、メモリとアンテナを含むＲＦ−ＩＤ素子等を内蔵する記録媒体に、非接触で通信を行なう手段を有する記録装置に関するものである。
【０００２】
【従来の技術】
近年、非接触で情報を書き込み／読み出し可能である集積回路チップとアンテナを備えたＲＦ−ＩＤ素子が開発されており、数十円〜数百円／個とコストが高いが、非接触で読み書き可能という利点を生かして、カット紙、ラベル紙、タグ紙、プラスチックカード等の媒体に内蔵されて使用されている。
【０００３】
これに伴い、記録装置内にＲＦ−ＩＤ素子と通信することで情報の読み込み／書き込みが可能な「ＲＦ−ＩＤ通信ユニット」が装着され、ＲＦ−ＩＤ素子内蔵の記録媒体の表面に記録を行うと同時にＲＦ−ＩＤ素子にも情報を書き込むことが可能な記録装置が市場に投入され始めている。
【０００４】
従来、ＲＦ−ＩＤ素子に情報を書き込むことが可能な記録装置において、記録装置にセットされている記録媒体にＲＦ−ＩＤ素子が内蔵されているか否かの判別機能を有していない為、例えば記録媒体表面に記録を行なう記録指示（ＲＦ−ＩＤ素子への情報の書き込みは行なわない）が発生した場合、記録媒体にＲＦ−ＩＤ素子が内蔵されているか否かに係わらず、記録処理が実行される。
【０００５】
また、ＲＦ−ＩＤ素子に情報を書き込む指示が発生した場合においては、記録媒体にＲＦ−ＩＤ素子が内蔵されていない場合、ジョブ開始後に、ＲＦ−ＩＤ素子にデータを正常に書き込めないことで記録媒体にＲＦ−ＩＤ素子が内蔵されていないことを検出し、記録装置側で自動的に「ＲＦ−ＩＤ素子書込みエラー」として印字を中断させていた。
【０００６】
【発明が解決しようとしている課題】
しかし、ＲＦ−ＩＤ素子に情報を書き込むことが可能な記録装置において、ユーザがＲＦ−ＩＤ素子が内蔵されていない記録媒体に対して、記録媒体表面に記録を行なおうとした場合は、記録装置にセットしている記録媒体に対してＲＦ−ＩＤ素子が内蔵されているか否かをユーザが目視で確認する必要がある。また、誤ってＲＦ−ＩＤ素子内蔵の記録媒体を使用し大量に記録を行なってしまった場合、多大な損害が発生してしまう。
【０００７】
また、ＲＦ−ＩＤ素子に情報を書き込む指示が発生した場合においては、ジョブ開始後に、ＲＦ−ＩＤ素子にデータを正常に書き込めないことでエラーを検出する為、ジョブを開始しないと記録媒体にＲＦ−ＩＤ素子が内蔵されているか否かを検出できない。
【０００８】
本発明は、ＲＦ−ＩＤ素子有無に関して、不整合な記録媒体がセットされているのを予め検知できる記録装置を実現することを目的とする。
【０００９】
【課題を解決する為の手段】
以上を目的として本発明は、下記の手段を実施した。
【００１０】
即ち、本発明請求項１による記録装置は、
メモリとアンテナを含む無線通信素子を内蔵する記録媒体に画像を記録する記録手段と、前記無線通信素子と通信を行なう為の通信アンテナと、前記通信アンテナを介して前記メモリに情報を書き込む書き込み手段と、
前記メモリへの書き込み動作が存在するか否かを判別する第１の判別手段と、前記記録媒体内に前記無線通信素子が内蔵されているか否かを判別する第２の判別手段と、
前記第１の判別手段で前記メモリへの書き込み動作が存在しないと判別され、且つ前記第２の判別手段により前記無線通信素子が内蔵されている、と判別された場合に警告を報知する報知手段とを備えることを特徴とする。
【００１１】
又、本発明請求項２による記録装置は、前記報知は前記記録手段による記録動作を中断して行なうことを特徴とする。
【００１２】
更に、本発明請求項３による記録装置は、前記報知は記録装置に接続される情報処理装置に出されることを特徴とする。
【００２９】
【作用】
本発明は、ＲＦ−ＩＤ素子有無に関して、不整合な記録媒体が記録装置にセットされているのを予め検知できるので記録媒体の無駄を減らすことが出来、且つユーザの時間的なロスを軽減できる
【００３０】
【発明の実施の形態】
以下、図面を参照して本発明の記録装置に係わる実施例について詳細に説明する。
【００３１】
（第１の実施例）
本実施例で使用するＲＦ−ＩＤ素子内蔵のラベル紙の例を図７に示す。
【００３２】
ラベル紙（７００）はロール状に巻かれており、台紙（７０１）上に複数毎のラベル（７０２）を貼り付けている。ラベル（７０２）には所定の位置にＲＦ−ＩＤ素子（７０３）が内蔵されている。
【００３３】
本実施例で使用する、パーソナルコンピュータ（以下「PC」）のブロック図を図１３に示す。
【００３４】
制御装置（１０２）は、入出力手段（１３０２）を介して記録装置であるカラーラベル記録装置（１００）、表示装置であるＣＲＴ（１０６）、入力装置であるキーボード（１０７）とマウス（１０８）とに接続されている。
【００３５】
制御装置（１０２）は、MPU(マイクロプロセッサ)（１３００）、メモリ（１３０１）、入出力部（１３０２）から成り、記録情報やアプリケーションソフトは不図示の外部記憶装置からメモリ上にロードされ、ＭＰＵ（１３００）により実行される。
【００３６】
本実施例で使用する、長尺のラインヘッドを用いたインクジェット方式によるカラーラベル記録装置（以下「記録装置」）とＰＣを接続した構成図を図１に示す。
【００３７】
記録装置（１００）の正面には操作パネル（１０５）が装着されており、給紙部（１０１）には記録媒体であるロール状に巻かれたラベル紙（２０４）がセットされている。さらに排紙部（１０４）には記録後の用紙を切断するカッターが内蔵されている。
【００３８】
制御装置（１０２）と記録装置（１００）はプリンタケーブル（１０３）で接続され、制御装置（１０２）内のＭＰＵ（１３００）がアプリケーションソフトを実行することで、メモリ（１３０１）に存在する記録情報を制御コマンドに変換し、入出力部（３１７）を介してプリンタケーブル（１０３）に出力する。
【００３９】
本実施例で使用する記録装置の概略構成を示す断面図を図２に示す。
【００４０】
記録装置は、画像を形成する記録部（２００）、ラベル紙（２０４）を記録部に給紙する給紙部（１０１）、排出されたラベル紙を切断するカッター（２０８）を内蔵する排出部（１０４）を備えている。
【００４１】
記録部（２００）では、ＴＯＦセンサ（２０９）で検出したラベル先端位置を基準にし、記録データに応じてイエロー、シアン、マゼンタ、ブラックのインク（２０５）を、ヘッドユニット（２０２）に固定されている各色ヘッド（２０１）から選択的に吐出させ、搬送ベルト（２０３）上を搬送しているラベル表面に画像を記録する。給紙部（１０１）には、ラベルに内蔵された、例えばＲＦ−ＩＤ素子と非接触で通信を行なう為のＲＦ−ＩＤ通信アンテナ（２１０）が装着されている。
【００４２】
本実施例で使用する記録装置の操作パネルを図３に示す。操作パネル（１０５）上には、エラー発生時に点灯させるエラーＬＥＤ（３００）、警告発生時に点灯させる警告ＬＥＤ（３０１）、記録ジョブを中止させる中止キー（３０２）、記録ジョブを継続させる継続キー（３０３）が存在する。
【００４３】
本実施例で使用する制御装置（１０２）から出力する制御コマンドの構造を図４に示す。制御コマンドとしては、記録する連続紙の種類等を設定する用紙設定コマンド（４００）、記録データの基準となる設定が存在するフォーマットコマンド（４０１）、データコマンドの属性を示す属性部（４０２、４０３，４０４）、データコマンドのデータ部（４０５）、記録データの終了を示しジョブを開始するジョブ開始コマンド（４０６）が存在し、それらのコマンドを記録コマンド送信例（４０７）の様に出力する。
【００４４】
ラベル紙に内蔵されているＲＦ−ＩＤ素子に書込むデータは、ＲＦ−ＩＤコマンド（４０４）により指定する。フォーマットコマンド（４０１）の記録モード（４０８）の値に対する、記録モードは以下の通りとなる。
記録モード＝０：ＲＦ−ＩＤ素子にデータ書込みを行なう。（記録は行わない）
記録モード＝１：記録と、ＲＦ−ＩＤ素子にデータ書込みを行なう。
記録モード＝２：記録を行なう。（ＲＦ−ＩＤ素子にデータ書込みは行なわない）
本実施例における記録装置の電気的な簡易ブロック図を図５に示す。
【００４５】
MPU(マイクロプロセッサ)（５００）は、プログラムROM（５０１）に格納され、例えば図６、図８、図１０、及び図１１に示すフローに対応する制御プログラムを実行して、制御装置（１０２）から出力された制御コマンドをインタフェースドライバ（５０５）を制御して受信する。
【００４６】
受信した制御コマンドのうち、用紙設定コマンド（４００）やフォーマットコマンド（４０１）の各種設定値はＲＡＭ（５０２）に記憶し、イメージコマンド（４０３）のイメージデータはＶＲＡＭ（５０４）に展開し、キャラクタコマンド（４０２）のキャラクタデータはＣＧＲＯＭ（５０３）より該当するキャラクタデータを読み出しＶＲＡＭ（５０４）に展開し、ＲＦ−ＩＤデータはＲＡＭ（５０２）に記憶する
出力ポート（５１０）を介して各種モータドライバ（５１１、５１３、５１５）を制御することで搬送モータ（７１２）、給紙モータ（５１４）、カッターモータ（５１６）駆動し、エラーＬＥＤ（３００）や警告ＬＥＤ（３０１）のＯＮ／ＯＦＦも制御する。K（ブラック）、C(シアン)、M(マゼンタ)、Y（イエロー）の４色分の記録ヘッド（２０１）はヘッド駆動回路（５０６）を制御することにより駆動する。
【００４７】
さらに、ＲＦ−ＩＤ通信（ラベルに内蔵されているＲＦ−ＩＤ素子との通信）は、ＲＦ−ＩＤ通信ドライバ（５０８）を制御することにより通信アンテナ（２１０）を介して行い、ＲＦ−ＩＤ素子へのデータの書込に関してもＲＦ−ＩＤ通信により行われる。
【００４８】
ＴＯＦセンサ（２０９）や、パネルキーである中止キー（３０２）や継続キー（３０３）は入力ポート（５１９）を介してMPU(５００)に接続されている。
【００４９】
上述の構成から成る実施例の作動を説明する。
【００５０】
本実施例における記録装置の記録ジョブのフローチャートを図６に示す。
【００５１】
ＰＣより制御コマンド受信を開始すると、本処理がMPU（５００）により起動され、データ展開処理（６００）により、各種記録データをＶＲＡＭ（５０４）に展開し、各種設定値やＲＦ−ＩＤデータはＲＡＭ（５０２）に記憶される。
【００５２】
次に、ラベルに対してＲＦ−ＩＤ通信を行ない（６０１）、通信結果（「成功」／「失敗」）をＲＡＭ（５０２）記憶（６０２）しておく。
【００５３】
次に、ＲＡＭ（５０２）に記憶されている記録モード（４０８）の値が「０」（ＲＦ−ＩＤ素子にデータ書込みを行なう）で、通信結果が「成功」（ラベル紙にＲＦ−ＩＤ素子が内蔵されている）の場合は、ラベルに内蔵しているＲＦ−ＩＤ素子へのデータを書き込み（６０８）を行なう。
【００５４】
通信結果が「失敗」（ラベル紙にＲＦ−ＩＤ素子が内蔵されていない）の場合は、エラーＬＥＤを点灯（６０５）させ、ユーザにより中止キーが押下されるのを待ち（６０６）、中止キーが押下されると、エラーＬＥＤを消灯（６０７）させ、記録ジョブを終了する。
【００５５】
記録モード（４０８）の値が「１」（記録とＲＦ−ＩＤ素子にデータ書込みを行なう）で、通信結果が「成功」（記録媒体内にＲＦ−ＩＤ素子が内蔵されている）の場合は、ラベル表面への記録とラベルに内蔵しているＲＦ−ＩＤ素子へのデータ書き込を同時に（６１１）行なう。
【００５６】
通信結果が「失敗」（ラベル紙にＲＦ−ＩＤ素子が内蔵されていない）の場合は、エラーＬＥＤを点灯（６０５）させ、ユーザにより中止キーが押下されるのを待ち（６０６）、中止キーが押下されると、エラーＬＥＤを消灯（６０７）させ、記録ジョブを終了する。記録モード（４０８）の値が「２」の場合（記録を行なう）で（６０９：Ｎの時）、通信結果が「失敗」（ラベル紙にＲＦ−ＩＤ素子が内蔵されていない）の場合は、ラベル表面への記録（６１８）を行なう。上記記録モード「２」を判別するステップ６０９は本発明の第１の判別手段の１つの実施例である。
【００５７】
通信結果が「成功」（ラベル紙にＲＦ−ＩＤ素子が内蔵されている）の場合（６１２：Ｙの時）は、警告ＬＥＤを点灯（６１３）させ、ユーザによりパネルキーが押下されるのを待ち（６１４）、パネルキーが押下されると、警告ＬＥＤを消灯（６１５）させ、押下されたパネルキーが中止キーの場合は、記録ジョブを終了し、押下されたパネルキーが継続キーの場合は、ラベル表面への記録（６１７）を行なう。上記ステップ６１２による判別が本発明の第２の判別手段の１つの実施例である。
【００５８】
本実施例における記録装置の排紙処理のフローチャートを図８に示す。
【００５９】
MPU（５００）により、記録済み又はＲＦ−ＩＤ書込み済みのラベルを搬送モータ（５１２）と給紙モータ（５１４）を駆動して排紙口まで排出（８００）し、カッターモータ（５１６）を駆動してカッター（２０８）によりカット（８０１）を行ない、ＴＯＦセンサ（２０９）でラベル紙無しを検知するまでラベル紙を記録時とは逆方向に搬送させるバックフィード処理（８０２）を行う。排紙処理を実行後、ＲＦ−ＩＤ通信アンテナ（２１０）と、先頭ラベルに内蔵しているとＲＦ−ＩＤ素子とが通信可能な位置関係となる。
【００６０】
上記の構成において、ＲＦ−ＩＤ素子有無に関する記録媒体の誤セット検知を行ない、誤セットだった場合に記録装置の操作パネルにエラーまたは警告を表示する事が可能なＲＦ−ＩＤ素子に情報書き込み機能を有する記録装置の構成を実現することができる。
【００６１】
（第２の実施例）
第１の実施例の記録装置において、制御装置（１０２）からＲＦ−ＩＤ確認コマンド（９００）を受信し、ラベル紙にＲＦ−ＩＤ素子が内蔵されているか否かを制御装置（１０２）に返信する機能追加し、制御装置（１０２）内のアプリケーションソフトが、記録装置からの返信（９０１）内の確認結果（９０２）を基に、ラベル紙が誤セットだった場合は、ＣＲＴ（１３０１）の画面上にエラーまたは警告を表示する事で実施できる。
【００６２】
本実施例の記録装置で使用するＲＦ−ＩＤ確認コマンドの構造を図９に示す。
【００６３】
ＰＣから受信するＲＦ−ＩＤ確認コマンド（９００）は識別コードのみであり、プリンタからの返信（９０１）は、識別コードと、確認結果（９０２）から成る。
【００６４】
確認結果（９０２）の値は以下の通りとなる。
・確認結果＝０：給紙部にセットしているラベルにＲＦ−ＩＤ素子が
内蔵されている。
・確認結果＝１：給紙部にセットしているラベルにＲＦ−ＩＤ素子が
内蔵されていない。
【００６５】
上述の構成の作動を説明する。
【００６６】
本実施例における記録装置のＲＦ−ＩＤ確認コマンド処理のフローチャートを図１０に示す。
【００６７】
制御装置（１０２）からＲＦ−ＩＤ確認コマンド（９００）を受信すると本処理が起動され、ラベルに対してＲＦ−ＩＤ通信を行ない（１０００）、通信が成功（ラベル紙にＲＦ−ＩＤ素子が内蔵されている）の場合は、「確認結果＝０」を返信する処理（１００２）を行ない、通信が失敗（ラベル紙にＲＦ−ＩＤ素子が内蔵されていない）の場合は、「確認結果＝１」を返信する処理（１００３）を行なう。
【００６８】
本実施例における記録装置の記録ジョブのフローチャートを図１１に示す。
【００６９】
制御装置（１０２）より制御コマンド受信を開始すると、本処理がMPU（５００）により起動され、データ展開処理（１１００）により、各種記録データをＶＲＡＭ（５０４）に展開し、各種設定値やＲＦ−ＩＤデータはＲＡＭ（５０２）に記憶される。次に、フォーマットコマンド内のパラメータである記録モード（４０８）の値を確認し、「０」の場合（ＲＦ−ＩＤ素子にデータ書込みを行なう）は、ラベルに内蔵しているＲＦ−ＩＤ素子へのデータを書き込み（１１０２）を行ない、記録モード（４０８）の値が「１」の場合（記録と、ＲＦ−ＩＤ素子にデータ書込みを行なう）は、ラベル表面への記録とラベルに内蔵しているＲＦ−ＩＤ素子へのデータ書き込を同時に（１１０５）行ない、記録モード（４０８）の値が「２」の場合（記録を行なう）はラベル表面への記録（１１０６）を行なう。
【００７０】
本実施例におけるＣＲＴ（１０６）で表示する警告画面と、エラー画面を図１２に示す。
【００７１】
ＰＣ側でユーザが記録指示（ＲＦ−ＩＤ素子にデータ書込みは行なわない）を起動した時、記録装置（１００）にＲＦ−ＩＤ確認コマンド（９００）を送信し、ＲＦ−ＩＤ確認コマンドに対する返信（９０１）の確認結果（９０２）が「０」（ラベルにＲＦ−ＩＤ素子が内蔵している）であった場合にCRT（１０６）に警告画面（画面１）表示する。
【００７２】
警告画面で、ＹＥＳボタン（１２００）を選択すると記録装置に対して記録指示を行ない、ＮＯボタン（１２０２）を選択すると本指示がキャンセルされ記録装置に指示される。
【００７３】
また、ユーザがＲＦ−ＩＤ素子にデータ書込み指示（記録は行なわない）を起動した時か又は、記録指示とＲＦ−ＩＤ素子にデータ書込み指示の両方を起動した時に、ＲＦ−ＩＤ確認コマンド（９００）に対する記録装置の返信（９０１）の確認結果（９０２）が「１」（ラベルにＲＦ−ＩＤ素子が内蔵していない）であった場合にエラー画面（１２０３）が表示される。エラー画面（１２０３）で、ＹＥＳボタン（１２０４）を選択すると本指示がキャンセルされる。
【００７４】
上記の構成において、ＲＦ−ＩＤ確認コマンドを追加することで、記録装置にセットされている記録媒体におけるＲＦ−ＩＤ素子有無に関する誤セット検知を行ない、誤セットだった場合にＰＣ側の画面上にエラーまたは警告を表示する事が可能な構成を実現することができる。
【００７５】
また、前記実施例では、長尺のラインヘッドを用いたインクジェット方式によるカラーラベル記録装置を例に説明したが、ＲＦ−ＩＤ素子に情報を書き込む機能を有する記録装置であれば、プラスチックカードや、カット紙等に記録を行なうカード記録装置や、インクリボン等を使用する熱転写方式の記録装置など、記録装置の種類や記録方式に限定されるものではない。
【００７６】
【発明の効果】
以上説明したように、集積回路チップとアンテナを備えたＲＦ−ＩＤ素子と非接触で通信を行なう為の通信アンテナと、前記通信アンテナを使用して記録媒体に内蔵されているＲＦ−ＩＤ素子と通信を行なうＲＦ−ＩＤ通信手段と、記録指示により、記録媒体の表面に記録情報を記録する記録手段と、ＲＦ−ＩＤ素子への情報書き込み指示により、前記ＲＦ−ＩＤ通信手段により、記録媒体に内蔵されているＲＦ−ＩＤ素子に情報を書き込むＲＦ−ＩＤ情報書込み手段と、ＲＦ−ＩＤ通信手段により記録媒体にＲＦ−ＩＤ素子が内蔵されているかを確認するＲＦ−ＩＤ素子確認手段とを有することにより、ＲＦ−ＩＤ素子有無に関する記録媒体の誤セット検知を行なう事が可能なＲＦ−ＩＤ素子に情報を書き込む機能を有する記録装置のを提供することができる。
【００７７】
【図面の簡単な説明】
【図１】実施例１または２に使用した記録装置とPCの接続図である。
【図２】実施例１または２に使用した記録装置の断面図である。
【図３】実施例１または２に使用した記録装置の操作パネル図である。
【図４】実施例１に使用したPCから送信する制御コマンドの構造図である。
【図５】実施例１または２に使用した記録装置の電気的な簡易ブロック図である。
【図６】実施例１に使用した記録装置の記録ジョブのフローチャートである。
【図７】実施例１または２に使用したラベル紙を示す図である。
【図８】実施例１または２に使用した記録装置の排紙処理のフローチャートである。
【図９】実施例２に使用した２ＲＦ−ＩＤ確認コマンドの構造図である。
【図１０】実施例２に使用した記録装置のＲＦ−ＩＤ確認コマンドを受信した場合のフローチャートである。
【図１１】実施例２に使用した記録装置の記録ジョブのフローチャートである。
【図１２】実施例２使用したＰＣ側で表示する警告画面と、エラー画面を示す図である。
【図１３】実施例１または２使用したＰＣのブロック図である。
【符号の説明】
１００  インクジェット方式によるカラーラベル記録装置
１０１  給紙部
１０２  ＰＣ
１０３  プリンタケーブル
１０４  排出部
１０５  操作パネル
２００  記録部
２０１  記録ヘッド（Ｙ，Ｍ，Ｃ，Ｋ）
２０２  ヘッドユニット
２０３  搬送ベルト
２０４  印字媒体
２０５  インクカートリッジ（Ｙ，Ｍ，Ｃ，Ｋ）
２０８  カッター
２０９  ＴＯＦセンサ
２１０  ＲＦ−ＩＤ通信アンテナ
３００  エラーＬＥＤ
３０１  警告ＬＥＤ
３０２  中止キー
３０３  継続キー
４００  用紙設定コマンド
４０１  フォーマットコマンド
４０２  データコマンドのキャラクタ属性部
４０３  データコマンドのイメージ属性部
４０４  データコマンドのＲＦ−ＩＤ属性部
４０５  データコマンドのデータ部
４０６  ジョブ開始コマンド
４０７  記録コマンドの転送例
４０８  記録モード設定パラメータ
５００  ＭＰＵ
５０１  プログラムＲＯＭ
５０２  ＲＡＭ
５０３  ＣＧＲＯＭ
５０４  ＶＲＡＭ
５０５  インタフェースドライバ
５０６  ヘッド駆動回路
５０８  ＲＦ−ＩＤ通信ドライバ
５１０  出力ポート
５１１  搬送モータ用ドライバ
５１２  搬送モータ
５１３  給紙モータ用ドライバ
５１４  給紙モータ
５１５  カッターモータ用ドライバ
５１６  カッターモータ
５１９  入力ポート
７００  ラベル紙
７０１  台紙
７０２  ラベル
７０３  ＲＦ−ＩＤ素子
８００  排出処理
８０１  カット処理
８０２  バックフィード処理
９００  ＲＦ−ＩＤ確認コマンド
９０１  ＲＦ−ＩＤ確認コマンドに対する返信
９０２   確認結果
１０００  ＲＦ−ＩＤ通信処理
１００１  通信結果を確認する処理
１００２  「確認結果＝０」を返信する処理
１００３  「確認結果＝１」を返信する処理
１１００  データ展開処理
１１０１  記録モードが「０」か確認する処
１１０２  ＲＦ−ＩＤ書込み処理
１１０３  排紙処理
１１０４  記録モードが「１」か確認する処
１１０５  記録とＲＦ―ＩＤ書込み処理
１１０６  記録処理
１２００  ＹＥＳ（印字継続）ボタン
１２０１  ＮＯ（印字中止）ボタン
１２０２  ＹＥＳ（印字中止）ボタン
１３００  ＭＰＵ
１３０１  メモリ
１３０２  入出力手段
【図１】
0004017434.tif 000002
【図２】
0004017434.tif 000003
【図３】
0004017434.tif 000004
【図４】
0004017434.tif 000005
【図５】
0004017434.tif 000006
【図６】
0004017434.tif 000007
【図７】
0004017434.tif 000008
【図８】
0004017434.tif 000009
【図９】
0004017434.tif 000010
【図１０】
0004017434.tif 000011
【図１１】
0004017434.tif 000012
【図１２】
0004017434.tif 000013
【図１３】
0004017434.tif 000014